(57)【要約】【課題】長尺部を切断するための切断工具の使い勝手を向上させる切断工具用カバー及び切断工具を提供する。【解決手段】カバー本体３は、切断刃６を保持する工具本体７に取り付けられる。切断刃６は、長尺部９を長尺部９の長手方向と交差する面で切断する。カバー本体３の箱状部５は、カバー本体３が工具本体７に取り付けられているときに切断刃６側となる領域に開口部５０を有する。カバー本体３の被覆部４は、箱状部５に繋がっており切断刃６を覆う。カバー本体３は、開放領域（開口部４１０）を有する。カバー本体３が工具本体７に取り付けられているとき、開放領域には、長尺部９がカバー本体３の外部から切断刃６に向かって通される。【選択図】図２
2019058971.tif 000002
【特許請求の範囲】
【請求項１】
長尺部を前記長尺部の長手方向と交差する面で切断する切断刃を保持する工具本体に取り付けられるカバー本体を備え、
前記カバー本体は、
前記カバー本体が前記工具本体に取り付けられているときに前記切断刃側となる領域に開口部を有する箱状部と、
前記箱状部に繋がっており前記切断刃を覆う被覆部と、を含み、
前記カバー本体は、前記カバー本体が前記工具本体に取り付けられているとき、前記長尺部が前記カバー本体の外部から前記切断刃に向かって通される開放領域を有する
切断工具用カバー。
【請求項２】
前記開放領域は、前記被覆部に形成された開口部である
請求項１記載の切断工具用カバー。
【請求項３】
前記切断刃は、挟み方向の両側から前記長尺部を挟んで前記長尺部を剪断する一対の刃を含み、
前記被覆部に形成された前記開口部は、前記カバー本体が前記工具本体に取り付けられているときの前記挟み方向に沿う方向の開口幅が、当該方向と直交する方向の開口幅よりも大きい
請求項２に記載の切断工具用カバー。
【請求項４】
前記カバー本体は、前記工具本体に着脱可能である
請求項１〜３のいずれか一項に記載の切断工具用カバー。
【請求項５】
前記カバー本体は、透明な透明部を含み、
前記カバー本体は、前記透明部が前記切断刃に対向するように前記工具本体に取り付けられる
請求項１〜４のいずれか一項に記載の切断工具用カバー。
【請求項６】
前記カバー本体は、前記箱状部と前記開放領域との間に前記切断刃が位置するように前記工具本体に取り付けられる
請求項１〜５のいずれか一項に記載の切断工具用カバー。
【請求項７】
前記カバー本体は、前記工具本体と共に前記切断刃を囲むように前記工具本体に取り付けられる
請求項１〜６のいずれか一項に記載の切断工具用カバー。
【請求項８】
請求項１〜７のいずれか一項に記載の切断工具用カバーと、
前記切断刃と、
前記工具本体と、
を備える切断工具。
【請求項９】
可搬である請求項８記載の切断工具。
【発明の詳細な説明】
【技術分野】
【０００１】
本発明は切断工具用カバー及び切断工具に関し、より詳細には、切断刃を保持する工具本体に取り付けられる切断工具用カバー及びこの切断工具用カバーを備える切断工具に関する。
【背景技術】
【０００２】
カバー（保護カバー）を備えた切断工具の従来例として、特許文献１記載の棒状体切断機を例示する。特許文献１記載の棒状体切断機は、固定刃と、この固定刃に対して接離されて剪断作用により棒状体（長尺部）を切断する可動刃と、切断機本体に着脱可能に設けられて可動刃と固定刃とを覆う保護カバーとを備える。棒状体切断機としての全ネジ切断機を作業者が操作しないときに、固定刃と可動刃を保護する為に、固定刃と可動刃を覆う保護カバーが配設される。そして、この保護カバーは全ネジ切断機を操作する際に取り外される。
【先行技術文献】
【特許文献】
【０００３】
【特許文献１】特開２００５−２３８４３２号公報
【発明の概要】
【発明が解決しようとする課題】
【０００４】
しかしながら、特許文献１記載の棒状体切断機では、作業者は、固定刃及び可動刃により棒状体を切断してから、棒状体のうち切り離された部分を手で受けたり拾ったりして回収する必要があった。
【０００５】
本発明は、長尺部を切断するための切断工具の使い勝手を向上させる切断工具用カバー及び切断工具を提供することを目的とする。
【課題を解決するための手段】
【０００６】
上記の課題を解決するために、本発明の一態様に係る切断工具用カバーは、カバー本体を備える。前記カバー本体は、切断刃を保持する工具本体に取り付けられる。前記切断刃は、長尺部を前記長尺部の長手方向と交差する面で切断する。前記カバー本体は、箱状部と、被覆部と、を含む。前記箱状部は、前記カバー本体が前記工具本体に取り付けられているときに前記切断刃側となる領域に開口部を有する。前記被覆部は、前記箱状部に繋がっており前記切断刃を覆う。前記カバー本体は、開放領域を有する。前記カバー本体が前記工具本体に取り付けられているとき、前記開放領域には、前記長尺部が前記カバー本体の外部から前記切断刃に向かって通される。
【０００７】
本発明の一態様に係る切断工具は、前記切断工具用カバーと、前記切断刃と、前記工具本体と、を備える。
【発明の効果】
【０００８】
本発明の一態様に係る切断工具用カバー及び切断工具では、長尺部を切断するための切断工具の使い勝手を向上させることができる。
【図面の簡単な説明】
【０００９】
【図１】図１は、一実施形態に係る切断工具の工具本体及び切断刃の分解斜視図である。
【図２】図２は、同上の切断工具の要部の斜視図である。
【図３】図３は、一実施形態に係る切断工具用カバーの斜視図である。
【図４】図４は、一実施形態に係る切断工具の要部の平面図である。
【発明を実施するための形態】
【００１０】
以下、実施形態に係る切断工具用カバー及び切断工具について、図面を用いて説明する。ただし、以下に説明する実施形態は、本開示の様々な実施形態の一部に過ぎない。下記の実施形態は、本開示の目的を達成できれば、設計等に応じて種々の変更が可能である。
【００１１】
（構成）
本実施形態の切断工具１は、図１、２に示すように、切断工具用カバー２と、切断刃６と、工具本体７と、を備えている。
【００１２】
切断工具１は、切断刃６により長尺部９を切断する工具である。本開示において、長尺部とは、所定の部材のうち、長手方向の長さが、長手方向と直交する各方向の長さの２倍以上の長さである部分を意味する。より好ましくは、長尺部では、長手方向の長さが、長手方向と直交する各方向の長さの５倍以上の長さである。より好ましくは、長尺部では、長手方向の長さが、長手方向と直交する各方向の長さの１０倍以上の長さである。本実施形態の長尺部９の長手方向は、図１では紙面の上下方向である。また、長尺部とは、所定の部材の一部分であってもよいし、所定の部材の全体であってもよい。
【００１３】
長尺部を有する所定の部材の具体例は、全ねじ、全ねじ以外のねじ、ボルト、鉄筋、パイプ、又は、木材若しくは金属等で形成された角材若しくは円柱状の部材である。本実施形態では、所定の部材は全ねじであり、長尺部９は全ねじの全体である。本実施形態では、全ねじを切断する切断工具１について説明する。
【００１４】
切断工具１は、可搬である。切断工具１が可搬であるとは、切断工具１が、輸送機械又は台車等の道具を用いなくても、人が手に取って持ち歩くことが可能な寸法及び重さであることを言う。
【００１５】
切断工具用カバー２は、カバー本体３を備えている。本実施形態では、カバー本体３は、切断工具用カバー２の全体を構成している。カバー本体３は、被覆部４と、箱状部５と、を含む。カバー本体３は、例えば、樹脂材料により形成されている。カバー本体３は、全体が透明に形成されている。カバー本体３は、工具本体７に着脱可能である。
【００１６】
被覆部４は、箱状に形成されている。被覆部４は、工具本体７のうち、切断刃６が取り付けられる後述の固定アーム８１及び可動アーム８２と、後述のハウジング７４のうち固定アーム８１及び可動アーム８２の周りの部分との外形に沿った形状に形成されている。図２、３に示すように、被覆部４は、第一壁部４１と、第二壁部４２と、側壁部４３と、を含む。
【００１７】
第一壁部４１及び第二壁部４２は、略台形の板状に形成されている。第一壁部４１及び第二壁部４２は、互いに対向している。第一壁部４１及び第二壁部４２は、互いに略同一形状であり、互いに対向する方向において重なり合う位置関係である。略台形の板状の第一壁部４１における一対の底辺のうち、短い方の底辺を第一短辺４１１と称し、長い方の底辺を第一長辺４１２と称する。また、略台形の板状の第二壁部４２における一対の底辺のうち、短い方の底辺を第二短辺４２１と称し、長い方の底辺を第二長辺４２２と称する。
【００１８】
側壁部４３は、第一壁部４１の外縁と第二壁部４２の外縁との間に形成されている。より詳細には、側壁部４３は、第一壁部４１の第一長辺４１２以外の辺と、第二壁部４２の第二長辺４２２以外の辺との間に形成されている。
【００１９】
被覆部４は、挿入孔４３０及び開口部（開放領域）４１０を有している。
【００２０】
挿入孔４３０は、第一壁部４１と第二壁部４２との間に形成されている。より詳細には、挿入孔４３０は、第一壁部４１の第一長辺４１２と、第二壁部４２の第二長辺４２２との間の面の全域に形成されている。すなわち、挿入孔４３０は、第一壁部４１の周方向における側壁部４３の両端の間に形成されている。
【００２１】
開口部４１０は、第一壁部４１に形成されている。すなわち、第一壁部４１は、開口部４１０において厚み方向に貫通している。
【００２２】
開口部４１０は、第一壁部４１の第一短辺４１１に対してよりも、第一壁部４１の第一長辺４１２に対して近くに形成されている。開口部４１０は、長円状に形成されている。より詳細には、開口部４１０は、第一壁部４１の第一長辺４１２に沿った方向に長尺の長円状に形成されている。つまり、開口部４１０において、第一長辺４１２に沿った方向の開口幅Ｌ１（図４参照）が、当該方向と直交する方向の開口幅Ｌ２（図４参照）よりも大きい。また、開口部４１０は、第一壁部４１の第一長辺４１２に沿った方向における、第一壁部４１の中心付近に形成されている。
【００２３】
箱状部５は、開口部５０を有する直方体状に形成されている。箱状部５は、被覆部４の第二壁部４２の一部から突出している。つまり、箱状部５は、被覆部４に繋がっている。より詳細には、箱状部５は、第二壁部４２の第二短辺４２１から、第二壁部４２の第二長辺４２２の一部までに亘って形成されている。開口部５０は、箱状部５における被覆部４側の面に形成されている。箱状部５の内部の空間は、開口部５０を通して、被覆部４の内部の空間に繋がっている。
【００２４】
被覆部４のうち開口部４１０が形成されている領域は、箱状部５と対向している。より詳細には、被覆部４のうち開口部４１０が形成されている領域は、第一壁部４１と第二壁部４２とが対向している方向において、箱状部５と対向している。
【００２５】
図１に示すように、工具本体７は、ハンドル７１と、補助ハンドル７２と、トリガスイッチ７３と、ハウジング７４と、固定アーム８１と、可動アーム８２と、スケール保持部８３と、を含む。
【００２６】
ハンドル７１、補助ハンドル７２及びハウジング７４の内部には、工具本体７が備えるモータ及びモータの駆動回路等が収容されている。ハンドル７１及び補助ハンドル７２は、ハウジング７４から突出しており、ハンドル７１及び補助ハンドル７２は、突出方向の先端側で互いに繋がっている。ハンドル７１の外部には、トリガスイッチ７３が設けられている。また、ハンドル７１には、電池（２次電池）を収容した電池パックが取り付けられる。固定アーム８１及び可動アーム８２は、ハウジング７４の外面から突出している。可動アーム８２は、固定アーム８１に対して図１における紙面の上下方向にずれて位置している。スケール保持部８３は、固定アーム８１から突出している。スケール保持部８３には、長尺部９の長さを測定するためのスケールが挿入される貫通孔８３０が形成されている。
【００２７】
切断工具１の切断刃６は、一対の刃６０を含む。一対の刃６０は、板状に形成されている。一対の刃６０の各々は、半円状の一対の窪みを有し、一対の窪みの底面に形成された一対の刃部６１を有する。一対の刃部６１は、鋭利に形成されている。
【００２８】
固定アーム８１及び可動アーム８２には、刃６０が１つずつ取り付けられている。より詳細には、固定アーム８１に形成されている貫通孔８１０に通されたボルト６３が、刃６０に形成されているボルト孔６２にねじ込まれることにより、固定アーム８１に刃６０が取り付けられている。また、可動アーム８２に形成されている貫通孔８２０に通されたボルト６３が、刃６０に形成されているボルト孔６２にねじ込まれることにより、可動アーム８２に刃６０が取り付けられている。このようにして、工具本体７は、切断刃６を保持する。可動アーム８２は、図１において矢印Ａ１で示す方向に変位可能である。つまり、可動アーム８２は、刃６０の厚み方向と直交する平面に沿って、固定アーム８１に近づいたり、離れたりするように変位可能である。
【００２９】
図２に示すように、カバー本体３は、工具本体７に取り付けられる。より詳細には、カバー本体３は、固定アーム８１、可動アーム８２、ハウジング７４のうち固定アーム８１及び可動アーム８２の周りの部分、並びに切断刃６（一対の刃６０）を、挿入孔４３０（図３参照）に通し被覆部４により覆うように、工具本体７に取り付けられる。ここで、被覆部４が切断刃６を覆うとは、被覆部４が切断刃６を全方向から覆う必要は無く、一部の方向から覆えばよい。
【００３０】
カバー本体３の内面には、挿入孔４３０の近傍に凹部４１４（図３参照）が形成されている。より詳細には、凹部４１４は、第一壁部４１に形成されている。工具本体７には、カバー本体３の凹部４１４に挿入される凸部７４４が形成されている。作業者は、工具本体７の凸部７４４をカバー本体３の凹部４１４に挿入することにより、カバー本体３を工具本体７に取り付けることができる。また、作業者は、工具本体７の凸部７４４をカバー本体３の凹部４１４から抜き去ることにより、カバー本体３を工具本体７から取り外すことができる。
【００３１】
カバー本体３の被覆部４は、切断刃６を覆うことにより切断刃６を保護する。切断工具１を保管する場合には、切断刃６を保護するために、カバー本体３が工具本体７に取り付けられていることが好ましい。
【００３２】
カバー本体３が工具本体７に取り付けられているとき、開口部４１０は、工具本体７により塞がれない。カバー本体３は、箱状部５と開口部４１０との間に切断刃６（一対の刃６０）が位置するように、工具本体７に取り付けられる。また、カバー本体３は、被覆部４のうち開口部４１０が形成されている領域が切断刃６に対向するように、工具本体７に取り付けられる。より詳細には、被覆部４のうち開口部４１０が形成されている領域は、切断刃６（一対の刃６０）の厚み方向において切断刃６に対向する。
【００３３】
また、箱状部５は、カバー本体３が工具本体７に取り付けられているときに切断刃６側となる領域に開口部５０を有している。より詳細には、箱状部５のうち開口部５０が形成されている領域は、切断刃６（一対の刃６０）の厚み方向において切断刃６に対向する。
【００３４】
カバー本体３は、工具本体７と共に切断刃６を囲むように工具本体７に取り付けられる。より詳細には、側壁部４３と工具本体７とが、切断刃６を囲む。つまり、切断刃６が長尺部９を切断する面（すなわち、切断刃６の厚み方向と直交する面：図２では上下方向と直交する面）に沿った各方向（図２の前後方向、左右方向等）から、側壁部４３と工具本体７とが切断刃６を覆っている。言い換えると、カバー本体３が工具本体７に取り付けられているとき、切断刃６が長尺部９を切断する面に直交する方向から見て、切断刃６は、側壁部４３と工具本体７とにより囲まれている。
【００３５】
カバー本体３は、全体が透明なので、カバー本体３の全体が透明部に相当する。カバー本体３は、透明部が切断刃６に対向するように工具本体７に取り付けられる。特に、透明部は、切断刃６が長尺部９を切断する面に沿った方向において切断刃６に対向する。
【００３６】
（切断工具の動作）
以下では、図２、４を参照して、カバー本体３が工具本体７に取り付けられた状態で長尺部９を切断刃６で切断する場合の切断工具１の動作について説明する。以下では、長尺部９が天井に固定されている吊りボルトであり、長尺部９の一端が床側（下）を向いている場合について説明する。
【００３７】
まず、長尺部９は、カバー本体３の外部から切断刃６に向かって開口部４１０に通される。これにより、長尺部９の一端が、カバー本体３の内部に配置される。
【００３８】
開口部４１０側から見て、可動アーム８２は、固定アーム８１から離れている。このとき、一対の刃６０の間の空間には、長尺部９が配置される。
【００３９】
トリガスイッチ７３が押されると、ハウジング７４に収容されたモータが駆動することにより、可動アーム８２は、図４における紙面の略右向き（図４において矢印Ａ１で示す向き）に変位する。可動アーム８２が変位するのに伴って、可動アーム８２に取り付けられている刃６０が変位して、当該刃６０の刃部６１が、固定アーム８１に取り付けられている刃６０の刃部６１との間に長尺部９を挟み、長尺部９に剪断力を生じさせる。これにより、切断刃６（一対の刃６０）は、長尺部９を長尺部９の長手方向と交差する面で切断する。要するに、一対の刃６０は、挟み方向（矢印Ａ１と同じ方向）の両側から長尺部９を挟んで、長尺部９を剪断する。本実施形態では、切断刃６は、長尺部９を長尺部９の長手方向と直交する面で切断する。
【００４０】
長尺部９が切断されて２つに分けられると、２つに分けられた長尺部９のうち下端側の部分（断片９１）は、箱状部５の内部に落下する。図２では、切断された長尺部９の断片９１を２つ図示している。このように、作業者は、切断工具１を用いれば、断片９１をカバー本体３により容易に回収することができる。特に、作業者は、片手でハンドル７１を握ってトリガスイッチ７３を押すことで、片手のみを用いて長尺部９を切断し、かつ、断片９１を回収することができる。
【００４１】
また、長尺部９が切断刃６で切断されたとき、長尺部９の断片９１が鉛直に落ちずに飛散したとしても、被覆部４が切断刃６を覆っているので、断片９１がカバー本体３の外部へ飛散する可能性が低減する。
【００４２】
長尺部９を切断刃６で切断する際に、作業者は、透明なカバー本体３を通してカバー本体３内部の長尺部９と切断刃６とを見て、長尺部９と切断刃６との位置合わせを行うことができる。また、カバー本体３のうち箱状部５も透明なので、作業者は、箱状部５にある長尺部９の１又は複数の断片９１を見ることができる。
【００４３】
以上では、長尺部９が天井に固定されており、長尺部９の一端が床側（下）を向いている場合について説明したが、長尺部９の向きは、どのような向きであってもよい。例えば、長尺部９が壁等に固定されており、長尺部９の一端が水平方向を向いている場合でも、長尺部９を切断刃６で切断することができる。また、長尺部９が固定されていなくてもよい。
【００４４】
以上のように、カバー本体３が工具本体７に取り付けられている状態であっても長尺部９を切断刃６で切断することができるという点で、切断工具１は利便性が高い。カバー本体３が工具本体７に取り付けられていない状態で、長尺部９を切断刃６で切断することもできる。
【００４５】
ところで、可動アーム８２が変位して切断刃６の一対の刃６０が長尺部９を挟むことにより、長尺部９とカバー本体３とのうち少なくとも一方が、可動アーム８２の変位する方向（挟み方向：矢印Ａ１と同じ方向）に変位することがある。これにより、長尺部９がカバー本体３に対して挟み方向に相対的に変位することがある。例えば、長尺部９が固定されている場合は、カバー本体３が工具本体７と共に挟み方向に変位する。
【００４６】
そこで、図４に示すように、被覆部４に形成された開口部４１０は、カバー本体３が工具本体７に取り付けられているときの挟み方向（矢印Ａ１と同じ方向）に沿う方向の開口幅Ｌ１が、当該方向と直交する方向の開口幅Ｌ２よりも大きい。言い換えると、開口部４１０は、カバー本体３が工具本体７に取り付けられているときに、開口部４１０の長手方向が挟み方向に沿うように形成されている。さらに、開口幅Ｌ１は、可動アーム８２と固定アーム８１とが互いに離れて位置しているときの一対の刃部６１の間の距離Ｌ３よりも大きい。これにより、可動アーム８２が変位して一対の刃６０が挟み方向の両側から長尺部９を挟んでも、カバー本体３のうち開口部４１０の周囲の部分と長尺部９とが接触しにくい。開口幅Ｌ１は、可動アーム８２と固定アーム８１との間の距離が最大であるときの一対の刃部６１の間の距離以上の大きさであってもよい。
【００４７】
（実施形態の変形例）
次に、実施形態の変形例を列挙する。以下の変形例は、適宜組み合わせて実現されてもよい。
【００４８】
カバー本体３において、長尺部９が通される開放領域は、開口部４１０に限定されない。開放領域は、第一壁部４１等の部材により囲まれていなくてもよい。例えば、実施形態のカバー本体３の開口部４１０（開放領域）を第一長辺４１２まで延長することにより、開放領域を切欠き状に形成してもよい。また、実施形態のカバー本体３において第一壁部４１が配置されている領域の全体に開放領域が形成されていてもよい。
【００４９】
また、開放領域は、第一壁部４１に形成されていることに限定されない。例えば、開放領域は、側壁部４３に形成されていてもよい。
【００５０】
また、開放領域は、被覆部４に形成されていることに限定されない。例えば、開放領域は、箱状部５に形成されていてもよいし、被覆部４と箱状部５とに亘って形成されていてもよい。
【００５１】
また、被覆部４のうち開放領域（開口部４１０）が形成されている領域は、箱状部５と対向していなくてもよい。
【００５２】
また、箱状部５は、第二壁部４２から突出しているのではなく、側壁部４３から突出していてもよい。
【００５３】
また、箱状部５は、被覆部４に着脱可能であってもよい。
【００５４】
また、カバー本体３は、箱状部５の寸法を変更できる構成であってもよい。例えば、寸法が互いに異なる複数の箱状部５が、被覆部４に着脱可能であってもよい。作業者は、長尺部９を切断する長さ（断片９１の長さ）に応じて、寸法が互いに異なる複数の箱状部５を使い分けてもよい。
【００５５】
また、切断工具１の構成は、切断刃６の一対の刃６０で長尺部９を挟むことにより長尺部９を剪断する構成に限定されない。例えば、切断工具１の構成は、長尺部９に接触させた切断刃（実施形態の切断刃６の形状に限らない）を回転運動、直線運動又は曲線運動させることにより長尺部９を切断する構成であってもよい。切断刃は、例えば、鋸（丸鋸を含む）であってもよい。
【００５６】
また、カバー本体３は、透明に形成されていなくてもよい。ただし、カバー本体３は、工具本体７に取り付けられているとき切断刃６に対向する部分の少なくとも一部が透明であることが好ましい。特に、カバー本体３は、切断刃６が長尺部９を切断する面に沿った方向において切断刃６に対向する部分の、少なくとも一部が透明であることが好ましい。また、箱状部５の少なくとも一部が透明であることも好ましい。
【００５７】
また、カバー本体３は、工具本体７と共に切断刃６を囲まなくてもよい。カバー本体３は、一部の方向から切断刃６を覆ってもよい。例えば、カバー本体３は、箱状部５と、箱状部５に繋がっており切断刃６を一方向から覆う平板状の被覆部とを少なくとも含む構成であってもよい。
【００５８】
また、切断工具１は、電池ではなく商用電源等の外部電源から電力が供給されてもよい。また、電池を電源に用いる場合に、電池は１次電池でも、２次電池でもよい。また、本実施形態の切断工具１は、電力により駆動される電動工具であるが、切断工具１は電動工具に限定されない。切断工具１は、例えば空圧ポンプを動力源とし空圧ポンプから供給される圧縮空気により駆動される空圧式の工具でもよいし、油圧ポンプを動力源とし油圧源から供給される油圧により駆動される油圧式の工具でもよい。
【００５９】
（まとめ）
以上説明したように、第１の態様に係る切断工具用カバー２は、カバー本体３を備える。カバー本体３は、切断刃６を保持する工具本体７に取り付けられる。切断刃６は、長尺部９を長尺部９の長手方向と交差する面で切断する。カバー本体３は、箱状部５と、被覆部４と、を含む。箱状部５は、カバー本体３が工具本体７に取り付けられているときに切断刃６側となる領域に開口部５０を有する。被覆部４は、箱状部５に繋がっており切断刃６を覆う。カバー本体３は、開放領域（開口部４１０）を有する。カバー本体３が工具本体７に取り付けられているとき、開放領域には、長尺部９がカバー本体３の外部から切断刃６に向かって通される。
【００６０】
上記の構成によれば、カバー本体３の被覆部４は、切断刃６を覆う。被覆部４は、長尺部９がカバー本体３の外部から切断刃６に向かって通される開放領域（開口部４１０）を有する。これにより、カバー本体３が取り付けられた工具本体７では、長尺部９の一部又は全部を開放領域に通し、長尺部９を切断刃６で切断することができる。さらに、長尺部９のうち切断刃６により切り離された部分が切断刃６から離れるとき、切り離された部分を、カバー本体３により受け、箱状部５に収容することができる。したがって、作業者は、長尺部９のうち切断刃６で切り離された部分を手で受けたり拾ったりして回収する必要が無いので、切断工具１（カバー本体３、切断刃６及び工具本体７。ここでは特に切断刃６を保持した状態の工具本体７）の使い勝手が向上する。また、被覆部４が切断刃６を覆っていることにより、長尺部９のうち切断刃６で切り離された部分がカバー本体３の外部へ飛散する可能性を低減することができる。
【００６１】
また、第２の態様に係る切断工具用カバー２では、第１の態様において、開放領域は、被覆部４に形成された開口部４１０である。
【００６２】
上記の構成によれば、開放領域（開口部４１０）の周りに被覆部４があって被覆部４が切断刃６を覆うので、長尺部９のうち切断刃６で切り離された部分がカバー本体３の外部へ飛散する可能性を更に低減することができる。
【００６３】
また、第３の態様に係る切断工具用カバー２では、第２の態様において、切断刃６は、一対の刃６０を含む。一対の刃６０は、挟み方向の両側から長尺部９を挟んで長尺部９を剪断する。被覆部４に形成された開口部４１０は、カバー本体３が工具本体７に取り付けられているときの挟み方向に沿う方向の開口幅Ｌ１が、当該方向と直交する方向の開口幅Ｌ２よりも大きい。
【００６４】
上記の構成によれば、切断刃６が挟み方向の両側から長尺部９を挟むことにより、長尺部９とカバー本体３とのうち少なくとも一方が挟み方向に変位しても、カバー本体３のうち開口部４１０の周囲の部分と長尺部９とが接触しにくい。したがって、カバー本体３と長尺部９とが接触して互いに圧力が加わる可能性を低減することができる。
【００６５】
また、第４の態様に係る切断工具用カバー２では、第１〜３の態様のいずれか１つにおいて、カバー本体３は、工具本体７に着脱可能である。
【００６６】
上記の構成によれば、長尺部９のうち切断刃６で切り離された部分をカバー本体３で受ける必要がないときは、工具本体７からカバー本体３を取り外した状態で工具本体７及び切断刃６を使用することができる。
【００６７】
また、第５の態様に係る切断工具用カバー２では、第１〜４の態様のいずれか１つにおいて、カバー本体３は、透明な透明部（例えば、カバー本体３の全体）を含む。カバー本体３は、透明部が切断刃６に対向するように工具本体７に取り付けられる。
【００６８】
上記の構成によれば、作業者は、カバー本体３の透明部を通して切断刃６を見ることにより、切断刃６と長尺部９との位置合わせを容易に行うことができる。
【００６９】
また、第６の態様に係る切断工具用カバー２では、第１〜５の態様のいずれか１つにおいて、カバー本体３は、箱状部５と開放領域（開口部４１０）との間に切断刃６が位置するように工具本体７に取り付けられる。
【００７０】
上記の構成によれば、箱状部５と切断刃６と開放領域（開口部４１０）とが鉛直方向に並んだ状態で、長尺部９の一部又は全部が開放領域に通され、長尺部９が切断刃６で切断された場合に、長尺部９のうち切断刃６で切り離された部分を箱状部５で受けることが容易である。
【００７１】
また、第７の態様に係る切断工具用カバー２では、第１〜６の態様のいずれか１つにおいて、カバー本体３は、工具本体７と共に切断刃６を囲むように工具本体７に取り付けられる。
【００７２】
上記の構成によれば、長尺部９のうち切断刃６で切り離された部分がカバー本体３の外部へ飛散する可能性を更に低減することができる。
【００７３】
また、第８の態様に係る切断工具１は、第１〜７の態様のいずれか１つに係る切断工具用カバー２と、切断刃６と、工具本体７と、を備える。
【００７４】
上記の構成によれば、長尺部９の一部又は全部を開放領域（開口部４１０）に通し、長尺部９を切断刃６で切断することができる。さらに、長尺部９のうち切断刃６により切り離された部分が切断刃６から離れるとき、切り離された部分を、カバー本体３により受け、箱状部５に収容することができる。したがって、作業者は、長尺部９のうち切断刃６で切り離された部分を手で受けたり拾ったりして回収する必要が無いので、切断工具１の使い勝手が向上する。また、被覆部４が切断刃６を覆っていることにより、長尺部９のうち切断刃６で切り離された部分がカバー本体３の外部へ飛散する可能性を低減することができる。
【００７５】
また、第９の態様に係る切断工具１は、第８の態様において、可搬である。
【００７６】
上記の構成によれば、作業者が切断工具１を持ち歩いて、天井又は壁等に固定された長尺部９を切断工具１により切断することが容易である。
【００７７】
第２〜７の態様に係る構成については、切断工具用カバー２に必須の構成ではなく、適宜省略可能である。第９の態様に係る構成については、切断工具１に必須の構成ではなく、適宜省略可能である。
【符号の説明】
【００７８】
１  切断工具
２  切断工具用カバー
３  カバー本体（透明部）
４  被覆部
４１０  開口部（開放領域）
５  箱状部
５０  開口部
６  切断刃
６０  刃
７  工具本体
９  長尺部
Ｌ１、Ｌ２  開口幅
【図１】
2019058971.tif 000003
【図２】
2019058971.tif 000004
【図３】
2019058971.tif 000005
【図４】
2019058971.tif 000006
【手続補正書】
【提出日】平成30年9月25日(2018.9.25)
【手続補正１】
【補正対象書類名】特許請求の範囲
【補正対象項目名】全文
【補正方法】変更
【補正の内容】
【特許請求の範囲】
【請求項１】
長尺部を前記長尺部の長手方向と交差する面で切断する切断刃を保持する工具本体と、
前記工具本体に取り付けられるカバー本体と、を備え、
前記カバー本体は、前記カバー本体が前記工具本体に取り付けられているときに前記切断刃側となる領域に開口部を有する箱状部を含み、
前記カバー本体は、前記カバー本体が前記工具本体に取り付けられているとき、前記長尺部が前記カバー本体の外部から前記切断刃に向かって通される開放領域を有する
切断工具。
【請求項２】
前記カバー本体は、前記箱状部に繋がっており前記切断刃を覆う被覆部を更に含む
請求項１記載の切断工具。
【請求項３】
前記開放領域は、前記被覆部に形成された開口部である
請求項２記載の切断工具。
【請求項４】
前記切断刃は、挟み方向の両側から前記長尺部を挟んで前記長尺部を剪断する一対の刃を含み、
前記被覆部に形成された前記開口部は、前記カバー本体が前記工具本体に取り付けられているときの前記挟み方向に沿う方向の開口幅が、当該方向と直交する方向の開口幅よりも大きい
請求項３に記載の切断工具。
【請求項５】
前記カバー本体は、前記工具本体に着脱可能である
請求項１〜４のいずれか一項に記載の切断工具。
【請求項６】
前記カバー本体は、透明な透明部を含み、
前記カバー本体は、前記透明部が前記切断刃に対向するように前記工具本体に取り付けられる
請求項１〜５のいずれか一項に記載の切断工具。
【請求項７】
前記カバー本体は、前記箱状部と前記開放領域との間に前記切断刃が位置するように前記工具本体に取り付けられる
請求項１〜６のいずれか一項に記載の切断工具。
【請求項８】
前記カバー本体は、前記工具本体と共に前記切断刃を囲むように前記工具本体に取り付けられる
請求項１〜７のいずれか一項に記載の切断工具。
【請求項９】
可搬である請求項１〜８のいずれか一項に記載の切断工具。
【手続補正３】
【補正対象書類名】明細書
【補正対象項目名】０００１
【補正方法】変更
【補正の内容】
【０００１】
本発明は切断工具に関し、より詳細には、切断刃を保持する工具本体に取り付けられる切断工具用カバーを備える切断工具に関する。
【手続補正４】
【補正対象書類名】明細書
【補正対象項目名】０００５
【補正方法】変更
【補正の内容】
【０００５】
本発明は、長尺部を切断するための切断工具の使い勝手を向上させることを目的とする。
【手続補正５】
【補正対象書類名】明細書
【補正対象項目名】０００６
【補正方法】変更
【補正の内容】
【０００６】
上記の課題を解決するために、本発明の一態様に係る切断工具は、工具本体と、カバー本体と、を備える。前記工具本体は、切断刃を保持する。前記切断刃は、長尺部を前記長尺部の長手方向と交差する面で切断する。前記カバー本体は、前記工具本体に取り付けられる。前記カバー本体は、箱状部を含む。前記箱状部は、前記カバー本体が前記工具本体に取り付けられているときに前記切断刃側となる領域に開口部を有する。前記カバー本体は、開放領域を有する。前記カバー本体が前記工具本体に取り付けられているとき、前記開放領域には、前記長尺部が前記カバー本体の外部から前記切断刃に向かって通される。
【手続補正６】
【補正対象書類名】明細書
【補正対象項目名】０００７
【補正方法】削除
【補正の内容】
【手続補正７】
【補正対象書類名】明細書
【補正対象項目名】０００８
【補正方法】変更
【補正の内容】
【０００８】
本発明の一態様に係る切断工具では、長尺部を切断するための切断工具の使い勝手を向上させることができる。